(57)【要約】【課題】  通常は、商品購入後に廃棄される、価格やサイズ、材質等を表示し、商品に添付されるタグを購入後も消費者が有効利用できるようにする。【解決手段】  粘着部を有するシート材の少なくとも表面に、ブランドマークやロゴ等の表示をする表示部を設けるとともに、表面あるいは、裏面に、価格、サイズ等の表示をする商品情報部を設けたことを特徴とするタグステッカー。【選択図】      図１
2005301187.tif 000002
【特許請求の範囲】
【請求項１】
粘着部を有するシート材の少なくとも表面に、ブランドマークやロゴ等の表示をする表示部を設けるとともに、表面あるいは、裏面に、価格、サイズ等の表示をする商品情報部を設けたことを特徴とするタグステッカー。
【請求項２】
前記表示部と商品情報部を切り離し可能に設けたことを特徴とする請求項１記載のタグステッカー。
【請求項３】
前記シート材の一方端付近に、係止用の穴を設けてあることを特徴とする請求項１又は２記載のタグステッカー。
【請求項４】
前記シート材の材質は、紙、又は、樹脂であることを特徴とする請求項１、２又は３記載のタグステッカー。
【請求項５】
前記シート材をラミネート等のフィルムで覆ってあることを特徴とする請求項１、２、３又は４記載のタグステッカー。
【発明の詳細な説明】
【技術分野】
【０００１】  本発明は、価格、サイズ、材質等の商品の情報を記して、商品に添付するタグで、ブランドマーク等をシールとして使用できるタグステッカーに関するものである。
【背景技術】
【０００２】  細長いシートを長手方向中央で二つ折りにし、二つ折りにされた一対の半片の少なくとも一方の表面上方部には商品価格等の任意の絵文字が印刷または表示され、各半片の下方部は外方に略直角に折り曲げ可能であると共にそれらの裏面には粘着層が設けられており、各半片の下方部を外方に略直角に折り曲げてこれら下方部を略面一に展開した状態でその裏面の粘着層を介して商品に直接または間接に貼付することにより前記上方部を立てて立体的に用いられることを特徴とする、値札等の広告宣伝用シールが開示されている。（例えば、特許文献１参照）【０００３】
【特許文献１】      実用新案登録第３０７３９１７号公報（請求項１、図１）
【発明の開示】
【発明が解決しようとする課題】
【０００４】  上記の従来の商品に添付するタグは、消費者が商品を購入した後は、取り外され、特に利用されることなく廃棄されるものであり、何ら利用価値がないものである。
【課題を解決するための手段】
【０００５】  粘着部を有する紙、又は樹脂のシート材の少なくとも表面に、ブランドマークやロゴ等の表示をする表示部を設けるとともに、表面あるいは裏面の少なくともどちらか一方に、価格やサイズ、材質等の商品情報を表示する商品情報部を設けることで、消費者は、商品を購入後、このタグを廃棄してしまうのではなく、ステッカーとして、有効に利用することができる。【０００６】  上記表示部と商品情報部を切り離し可能とすることで、表示部は、ステッカーとして利用でき、また、商品情報部は、例えば、メーカーへの連絡先等、消費者が必要となるかもしれない情報をシールとして、貼り付けて保管することができる。【０００７】  上記シート材の一方端付近に係止用の穴を設けることで、糸等を使って、容易に商品に添付することができる。【０００８】  上記シート材をラミネート等のフィルムで覆うことで、容易にステッカー部分を剥がせないので、ステッカーの盗難、又は、故意にステッカーを剥がすいたずらを防止することができる。
【発明の効果】
【０００９】  本発明の効果として、価格やサイズ、材質等を表示して商品に添付されるタグは、通常は、消費者が商品購入後、廃棄されるものであるが、粘着部を有するシート材を使用し、ブランドのマークやロゴ等を表示することで、商品購入後、ステッカーとして利用できるので、消費者は、ブランドをアピールできるという満足を得ることができるとともに、商品の宣伝効果もあり、消費者の購買意欲が増し、商品の付加価値があがるという効果を有する。
また、商品の情報を表示する部分を切り離し可能にしておけば、消費者は、シールとして貼り付けて保管できるので、例えば、メーカーの連絡先等が表示されていれば、急用の場合も困ることが無く、メーカーのサービスにつながる。
また、通常は、紙でつくられるタグであるが、樹脂のシート材も使用することで、ステッカーとして利用するとき、耐久性が増し、高級感のアップにもつながる。
また、ステッカーとして利用するブランドマークやロゴ等が表示してある部分をラミネート等のフィルムで覆うことで、いたずらでステッカーを剥がされたりすることの防止になり、汚れや色あせ防止の効果もある。
【発明を実施するための最良の形態】
【００１０】  本発明のタグステッカー１の第１実施例として、図２のように、表示部１ａと粘着部１１ａと剥離紙１１ｂからなる紙、又は樹脂のシート材１１であって、図１のように、表面に、ブランドマークやロゴ等の表示をする表示部１ａと、図３のように、裏面（剥離紙１１ｂ側）に、価格やサイズ、材質等の商品の情報を表示する商品情報部１ｂから構成され、前記シート材の一方端付近に、糸等の係紙具で、商品に添付するための係止穴１ｃを少なくとも１つ設けてある。図２のように、表示部１ａは、スリット１ｄにより、タグステッカー１から剥離可能となっており、ステッカーとして利用できるようにする。【００１１】  第２実施例のタグステッカー２１は、図４のように表面に、ブランドマークやロゴ等の表示をする表示部２ａと価格やサイズ、材質等の商品の情報を表示する商品情報部２ｂから構成され、表示部２ａと商品情報部２ｂの間に、切り取り部２ｅを設け、図５のように、商品情報部２ｂは、切り取り部２ｅで、切り取り可能とし、商品情報部２ｂもシールとして、貼り付け保管可能とする。
また、図５のように、表示部２ａは、スリット２ｃにより剥離可能となっており、ステッカーとして利用できるようにする。【００１２】  第３実施例のタグステッカー３１は、図６のように、上記タグステッカー１（２１）をラミネート等のフィルムＲで覆い、容易に表示部１ａが剥がれないようにする。また、ステッカーとしての機能を損なわないように、汚れないようにする。
なお、このタグステッカーの形状は、各実施例のような長方形に限らず、円、楕円等の自由な形状で形成されるものとする。
【産業上の利用可能性】
【００１３】  本発明のタグステッカーは、通常は、消費者が商品を購入後、廃棄してしまう価格やサイズ、材質等の商品の情報を表示して商品に添付されるタグに、商品のブランドマークやロゴ等のステッカーという性質を持たせることで、有効利用できるとともに、ステッカーを貼るという満足感とブランド志向の効果から、消費者の購買意欲が増し、商品の付加価値があがるという点と、ステッカーとして、不特定な場所に貼られることで、ブランドの宣伝効果にもつながる、という点で、産業上の利用可能性が大である。
【図面の簡単な説明】
【００１４】
【図１】      本発明の第１実施例を示すタグステッカーの外観図である。
【図２】      本発明の第１実施例を示すタグステッカーの断面図である。
【図３】      本発明の第１実施例を示すタグステッカーの外観図である
【図４】      本発明の第２実施例を示すタグステッカーの外観図である。
【図５】      本発明の第２実施例を示すタグステッカーの断面図である。
【図６】      本発明の第３実施例を示すタグステッカーの外観図である。
【符号の説明】
【００１５】      １      タグステッカー
１ａ    表示部
１ｂ    商品情報部
１ｃ    係止穴
１ｄ    スリット
１１ａ  粘着部
【図１】
2005301187.tif 000003
【図２】
2005301187.tif 000004
【図３】
2005301187.tif 000005
【図４】
2005301187.tif 000006
【図５】
2005301187.tif 000007
【図６】
2005301187.tif 000008